(57)【特許請求の範囲】
【請求項１】
第１のネットワークとの無線通信を行なう第１の無線通信部と、第２のネットワークとの無線通信を行なう第２の無線通信部とを内蔵した携帯端末装置の通信制御方法において、
前記第１の無線通信部に前記第１のネットワークから着信要求があった時に、前記第２のネットワークを介して前記第２の無線通信部との通信が確立された機器のうち、優先順位及び適用場所並びに適用時刻が予め設定されたデータベースに基づいて通信を行うべき機器を選択し、
前記選択された機器と前記第１のネットワークとの通信を確立することを特徴とする携帯端末装置の通信制御方法。
【請求項２】
コンピュータに、
第１の無線通信部に第１のネットワークから着信要求があった時に、該第１のネットワークとは異なる第２のネットワークとの通信を行なう第２の無線通信部との通信が確立された機器のうち、優先順位及び適用場所並びに適用時刻が予め設定されたデータベースに基づいて通信を行うべき機器を選択させる手順と、
選択された機器と前記第１のネットワークと通信を確立させる手順とを実行させることを特徴とするプログラム。
【発明の詳細な説明】
【０００１】
【発明の属する技術分野】
本発明は携帯端末装置の通信制御方法に係り、特に、ローカル無線装置を内蔵した携帯端末装置の通信制御方法に関する。
近年の携帯電話の普及にともない、ＰＤＡ内に携帯電話を内蔵してネットワークに接続する端末装置や、携帯電話にＰＤＡなどを接続してネットワークと通信を行なう場面が多様化しつつある。一方、車載用ナビゲーションシステムなどにおいてはハンズフリー機能実現のため有線にて携帯電話と接続し、ハンズフリーによる通話が可能な構成とされている。
【０００２】
【従来の技術】
従来の携帯端末装置で通信を行なうには、携帯端末装置を携帯電話と接続して通信を確立したり、携帯端末装置に通信装置を内蔵し、通信を確立したりしていた。このうち、通信装置を内蔵した携帯端末装置では、通話も可能とするようにハンドセットを接続することにより通話を可能としてた。
【０００３】
また、通信装置を内蔵した携帯端末装置の普及に伴い、広域ネットワークに接続されたサーバからデータの配信を受けるいわゆるプッシュ型データ配信サービスが行なわれている。従来、プッシュ型データ配信サービスはデータ通信専用の無線装置を実装することにより実現していた。
【０００４】
【発明が解決しようとする課題】
しかし、通信装置を内蔵した携帯端末装置では、車載のハンズフリー機能を使用する為には、一旦携帯端末装置をかばんや上着のポケットなどのそれまでの格納場所から取り出し、ナビゲーションシステムなどの車載端末に再接続する必要があり、また、車両から降りる場合にも接続された携帯電話をナビゲーションシステムから取り外し、かばんや上着のポケットなどに収納する必要があった。このため、運転者に大きな煩わしさを与えていた。また、携帯電話をナビゲーションシステムから取り外すことを忘れて、車から離れた場合には、通話が行なえない等の問題点があった。
【０００５】
また、従来の携帯端末装置でプッシュ型データ配信サービスを受けるには、データ通信専用の無線装置を実装する必要がったので、音声とデータとの取り扱いが煩雑であるなどの問題点があった。
【０００６】
さらに、通常時に使用するハンドセットとナビゲーションシステムのハンズフリー機能とが両方存在するときに、通話機能（音声入力手段）が２つ存在することになるが、この場合、両者が使用できることになると操作者に混乱が生じるなどの問題点があった。
【０００７】
本発明は上記の点に鑑みてなされたもので、操作性の良い携帯端末装置の通信制御方法を提供することを目的とする。
【０００８】
【課題を解決するための手段】
本発明の請求項１は、第１のネットワークとの無線通信を行なう第１の無線通信部と、第２のネットワークとの無線通信を行なう第２の無線通信部とを内蔵した携帯端末装置の通信制御方法において、第１の無線通信部に第１のネットワークから着信要求があった時に、第２のネットワークを介して第２の無線通信部との通信が確立された機器のうち、優先順位及び適用場所並びに適用時刻が予め設定されたデータベースに基づいて通信を行うべき機器を選択し、選択された機器と第１のネットワークとの通信を確立することを特徴とする。
【０００９】
請求項２は、コンピュータにより実行されるプログラムであって、第１の無線通信部に第１のネットワークから着信要求があった時に、第１のネットワークとは異なる第２のネットワークとの通信を行なう第２の無線通信部との通信が確立された機器のうち、優先順位及び適用場所並びに適用時刻が予め設定されたデータベースに基づいて通信を行うべき機器を選択させる手順と、選択された機器と第１のネットワークと通信を確立させる手順とを実行させることを特徴とする。
【００１１】
本発明によれば、データベースに予め設定された優先順位に基づいて通信を確立すべき機器を選択することにより、必要な時間、場所で必要な機器を着信先として自動的に選択して使用できる。
【００１５】
【発明の実施の形態】
図１に本発明の一実施例のシステム構成図を示す。
【００１６】
本実施例のシステム１は、携帯端末装置１１、ハンドセット１２、カーナビゲーションシステム１３を含む構成とされている。携帯端末装置１１は、例えば、ＰＤＡ（personal digital assistants）と呼ばれるパーソナル管理ツールであり、内部でデータ管理あるは処理が可能な構成とされている。また、携帯端末装置１１には携帯電話網との通信及びその周辺で無線ＬＡＮ（local area network）で周辺機器との通信が可能な構成とされている。
【００１７】
また、ハンドセット１２は無線ＬＡＮにより携帯端末装置１１と通信可能な構成とされており、無線ＬＡＮにより携帯端末装置１１と通信を行い、携帯端末装置１１を中継して携帯電話網と通信を行うことにより通話可能な構成とされている。
【００１８】
カーナビゲーションシステム１３は、例えば、自動車に搭載され、地図を表示するとともに、地図上に自車の位置を表示可能とされている。カーナビゲーションシステム１３は、音声の出力が可能であるとともに、音声による指示が可能な構成とされている。また、カーナビゲーションシステム１３は、携帯端末装置１１と無線ＬＡＮにより通信可能な構成とされており、携帯端末装置１１を中継して携帯電話網と内蔵された音声の入出力システムを用いてハンズフリーで通話可能とされている。
【００１９】
まず、携帯端末装置１１の構成について説明する。
【００２０】
図２に本発明の一実施例の携帯端末装置のブロック構成図を示す。
【００２１】
携帯端末装置１１は、アンテナ２１、２２、ＲＦ（radio frequency）ユニット２３、データアダプタ２４、ＰＤＡ制御部２５、データベース２６、ＳＳ（spread spectrum）無線部２７を含む構成とされている。
【００２２】
ＲＦユニット２３は、アンテナ２１を介して携帯電話網などの広域ネットワークとの通信を行なうユニットである。また、ＲＦユニット２３は、データアダプタ２４とデータの通信を行なうとともに、ＳＳ無線部２７と音声信号の通信を行なう。
【００２３】
データアダプタ２４は、無線レイヤとデータレイヤとの変換を行ない、ＲＦユニット２３とＰＤＡ制御部２５とのデータの通信を可能とするものである。ＰＤＡ制御部２５は、内蔵されたプログラムに基づいて各種データ処理を行なう。また、データベース２６に記憶されたデータに基づいて通話時の通信機器の選択及び着信時の情報がデータか、通話かの判定を行ない、処理の切換を行なう。
【００２４】
データベース２６は、着信サーバ発ＩＤデータベース２６ａ及びデバイスデータベース２６ｂを含む構成とされている。
【００２５】
まず、着信サーバ発ＩＤデータベース２６ａについて説明する。
【００２６】
図３に本発明の一実施例の着信サーバ発ＩＤデータベースのデータ構成図を示す。
【００２７】
着信サーバ発ＩＤデータベース２６ａは、広域ネットワーク上で電子メールなどのデータを送信するサーバの発ＩＤが記憶されている。ＰＤＡ制御部２５は、着信時に広域ネットワーク上の発ＩＤにより着信サーバ発ＩＤデータベース２６ａを参照して、着信時の発ＩＤが着信サーバ発データベース２６ａに存在する場合には、サーバからの着信であり、データを扱うものであると判断して、ＰＤＡ制御部２５をデータ回線接続を確立させる。
【００２８】
また、着信時の発ＩＤが着信サーバ発データベース２６ａに存在しない場合には、通話を行なうものと判断して、音声回線接続を確立させる。
【００２９】
次にデバイスデータベース２６ｂについて説明する。
【００３０】
図４に本発明の一実施例のデバイスデータベースのデータ構成図を示す。
【００３１】
デバイスデータベース２６ｂは、デバイス名、デバイスＩＤ、固定アドレス、プライオリティ、適用時間、適用場所などのデータが項目毎に記憶されている。デバイスＩＤは、携帯端末装置１１の無線ＬＡＮによる通信エリア内でのネットワークＩＤを示す。固定アドレスは、グローバルなアドレスを示す。プライオリティは、音声回線の接続の優先度を示しており、例えば、「１」〜「９」で示され、優先度「１」が最も優先度が高く、優先度が大きくなるに従って優先度が低くなる。適用時間は、音声回線の接続が優先される時間を示している。また、適用場所は、音声回線の接続が優先される場所を示している。
【００３２】
ＰＤＡ制御部２５は、通話要求が供給されると、デバイスデータベース２６ｂを参照して、現在検出されている機器の適用時間、適用場所を参照し、適用される機器のプライオリティが最も上位の機器に対して音声回線を確立する。
【００３３】
なお、上記のデータベース２６を用いた処理については、後で詳細に説明する。
【００３４】
ＰＤＡ制御部２５は、無線ＬＡＮを介して周辺に配置された他の機器と通信を行なう場合には、ＳＳ無線部２７とデータの通信を行なう。ＳＳ無線部２７は、アンテナ２２を介して周辺に配置されたハンドセット１２やカーナビゲーションシステム１３などの機器との通信を行なう。このとき、ＳＳ無線部２７は、データ及び音声の通信が可能とされている。
【００３５】
次にハンドセット１２の構成について説明する。
【００３６】
図５に本発明の一実施例のハンドセットのブロック構成図を示す。
【００３７】
ハンドセット１２は、アンテナ３１、ＳＳ無線部３２、スピーカ３３、マイクロフォン３４、ハンドセット制御部３５、操作部３６を含む構成とされている。
【００３８】
ＳＳ無線部３２は、アンテナ３１を介して無線ＬＡＮ上の機器との音声回線を確立する。ＳＳ無線３２は、音声回線からの音声信号に基づいてスピーカ３３を駆動し、音声を出力するとともに、マイクロフォン３４からの音声信号を音声回線に出力する。ハンドセット制御部３５は、操作部３６の操作に基づいて無線ＬＡＮ上の音声回線の確立を制御する。上記ハンドセット１２により携帯端末装置１１を介して広域ネットワークを介して通話が行なえる。
【００３９】
次に、カーナビゲーションシステム１３の構成について説明する。
【００４０】
図６に本発明の一実施例のカーナビゲーションシステムのブロック構成図を示す。
【００４１】
カーナビゲーションシステム１３は、アンテナ４１、４２、ＧＰＳユニット４３、制御部４４、モニタ４５、ＳＳ無線部４６、ハンズフリーユニット４７を含む構成とされている。
【００４２】
ＧＰＳユニット４３は、アンテナ４１により受信したＧＰＳ情報を解析し、位置情報を得る。ＧＰＳユニット４３で得られた位置情報は、制御部４４に供給される。制御部４４は、モニタ４５に地図を表示し、地図上でＧＰＳユニット４３からの位置情報の位置を指示するように制御を行なう。
【００４３】
ハンズフリーユニット４７は、スピーカ４７ａ、マイクロフォン４７ｂ、ハンズフリー制御部４７ｃを含み、ハンズフリーで音声の入出力が可能な構成とされている。ハンズフリーユニット４７は、ＳＳ無線部４６により無線ＬＡＮと音声回線を確立できる構成とされている。ＳＳ無線部４６は、アンテナ４２を介して無線ＬＡＮ上の機器との通信を行なう。
【００４４】
次に、本実施例の動作について図面とともに説明する。
【００４５】
図７〜図９に本発明の一実施例の動作説明図を示す。
【００４６】
まず、ハンドセット１２が携帯端末装置１１の無線ＬＡＮ通信可能エリアに存在し、カーナビゲーションシステム１３が携帯端末装置１１の無線ＬＡＮ通信可能エリアに存在せず、音声接続要求があった場合の動作を図７とともに説明する。
【００４７】
ステップＳ１でハンドセット１２が携帯端末装置１１の無線ＬＡＮ通信可能エリアに入ると、ステップＳ２でハンドセット１２から携帯端末装置１１に接続要求が供給される。
【００４８】
携帯端末装置１１は、ステップＳ３ハンドセット１２からの接続要求に応じて接続許可をハンドセット１２に供給する。以上によりステップＳ４でデータ回線接続が完了する。
【００４９】
次にステップＳ５で携帯端末装置１１に広域ネットワークから着信要求があると、携帯端末装置１１はステップＳ６で発ＩＤをキーとして着信サーバ発ＩＤデータベース２６ａを参照し、着信サーバ発ＩＤデータベース２６ａに登録された発ＩＤであるか否かを判定する。
【００５０】
ステップＳ７で着信した発ＩＤが着信サーバ発ＩＤデータベース２６ａに登録されていないＩＤである場合には、携帯端末装置１１はステップＳ８でハンドセット１２に音声接続要求を行なう。ハンドセットユニット１２は、ステップＳ９で携帯端末装置１１から音声接続要求に応じて着信音を発生する。
【００５１】
ステップＳ１０でハンドセット１２がオフフックされると、ハンドセット１２はステップＳ１１で携帯端末装置１１に音声接続許可を供給する。携帯端末装置１１がハンドセット１２から音声接続許可を受信すると、ステップＳ１２で音声回線接続が完了し、ステップＳ１３でハンドセット１２により携帯端末装置１３を介して広域ネットワーク上の機器との音声通話が可能となる。
【００５２】
ステップＳ１４でハンドセット１２がオンフックされると、ハンドセット１２から携帯端末装置１１に切断要求が供給される。携帯端末装置１１は、ハンドセット１２から切断供給を受信すると、広域ネットワークとの音声回線接続を切断して、ハンドセット１２に切断完了を通知する。
【００５３】
以上により、ハンドセット１２を利用した通話が可能とされている。
【００５４】
次にハンドセット１２が携帯端末装置１１が無線ＬＡＮ通信可能エリアに存在し、カーナビゲーションシステム１３が携帯端末装置１１の無線ＬＡＮ通信可能エリアに存在せず、データ接続要求があった場合の動作を図８とともに説明する。
【００５５】
図８において、図７と同一処理ステップには同一符号を付し、その説明は省略する。
【００５６】
携帯端末装置１１は、ステップ６で発ＩＤを確認した結果、ステップＳ２１で着信した発ＩＤが着信サーバ発ＩＤデータベース２６ａに登録されている場合には、携帯端末装置１１はステップＳ２２でハンドセット１２に着信音要求を行なう。ハンドセット１２は、ステップＳ２３で携帯端末装置１１から着信音要求に応じて着信音を発生し、ステップＳ２４でメール到着表示を行なう。
【００５７】
ハンドセット１２は、メール到着表示後、ステップＳ２５でメール到着表示完了通知を携帯端末装置１１に供給する。携帯端末装置１１は、ステップＳ２６で着信サーバからメールを受信して記憶する。
【００５８】
以上のように本実施例によれば、着信時に発ＩＤを確認し、着信した発ＩＤが着信サーバ発ＩＤデータベース２６ａに登録されているか否かを判断し、図７に示すように発ＩＤがＩＤデータベース２６ａに登録されていない場合には、通話であると判断して、ハンドセット１２による通話を可能とし、図８に示すように発ＩＤがＩＤデータベース２６ａに登録されている場合には、サーバからの電子メールの受信通知であると判定して、ハンドセット１２によりメール受信を知らせるとともに、着信サーバから電子メールを受信することができる。これにより、携帯端末装置１１に特殊なプロトコルスタックを実装しなくても、音声回線によるものか、又はデータ回線によるものかを判別することができ、データのプッシュ型サービスを受けることが可能となる。
【００５９】
次にハンドセット１２が携帯端末装置１１及びカーナビゲーションシステム１３が無線ＬＡＮ通信可能エリアに存在し、音声接続要求があった場合の動作を図９とともに説明する。
【００６０】
まず、ステップＳ３１で、図７、図８に示すように携帯端末装置１３の無線ＬＡＮエリアにハンドセット１２が存在した状態で、さらに、カーナビゲーションシステム１３が入ると、ステップＳ３２で接続要求がカーナビゲーションシステム１３から携帯端末装置１１に供給される。携帯端末装置１１は、カーナビゲーションシステム１３から接続要求に応じてステップＳ３３で接続許可をナビゲーションシステム１３に送信する。カーナビゲーションシステム１３が携帯端末装置１１から接続許可を受信すると、ステップＳ３４で携帯端末装置１１とカーナビゲーションシステム１３とのデータ回線接続が完了する。
【００６１】
次に、ステップＳ３５で携帯端末装置１１に広域ネットワークから着信要求があると、携帯端末装置１１はステップＳ３６でデータ回線接続が確立しているデバイスをキーにデバイスデータベース２６ｂを参照して、広域ネットワークとの接続のプライオリティを比較する。ここでは、ハンドセット１２とカーナビゲーションシステム１３とのデータ回線接続が確立している。このとき、デバイスデータベース２６ｂでは、カーナビゲーションシステム１３が最優先であるので、ステップＳ３７でカーナビゲーションシステム１３が接続先として選択される。
【００６２】
このため、携帯端末装置１１は、ステップＳ３８で音声接続要求をカーナビゲーションシステム１３に供給する。カーナビゲーションシステム１３は、ステップＳ３９で着信音を発報する。ステップＳ４０でカーナビゲーションシステム１３がハンズフリーユニット４７からの音声入力などによりオフフック状態になると、ステップＳ４１で携帯端末装置１１に接続許可を通知する。
【００６３】
携帯端末装置１１がカーナビゲーションシステム１３から接続許可を受信すると、携帯端末装置１１とカーナビゲーションシステム１３との音声回線接続が完了する。音声回線接続が完了すると、ステップＳ４３でカーナビゲーションシステム１３により、携帯端末装置１１を経由して広域ネットワークの機器との通話が可能となる。
【００６４】
ステップＳ４４で、カーナビゲーションシステム１３がオフフックされると、ステップＳ４５でカーナビゲーションシステム１３は携帯端末装置１１に切断要求を行なう。携帯端末装置１１は、カーナビゲーションシステム１３からの切断供給に応じて広域ネットワークとの音声回線を切断し、ステップＳ４６でカーナビゲーションシステム１３に切断完了を通知する。
【００６５】
以上のように、カーナビゲーションシステム１３が無線ＬＡＮ上で検出できない間はハンドセット１２が優先して着信音がなり、自動車内においては、カーナビゲーションシステム１３が選択され、カーナビゲーションシステム１３のハンズフリーユニット４７により通話が可能となる。
【００６６】
なお、図８、図９に示す処理では、ハンドセット１２とカーナビゲーションシステム１３が携帯端末装置１１と回線接続を確立している場合に、優先度に従って接続先を選択した例であるが、接続先を選択する上で、デバイスデータベース２６ｂに設定されている場所、時間に基づいて選択するようにすることもできる。
【００６７】
例えば、優先順位を、図４に示されるデバイスデータベース２６ｂにおいて、（その他）＜（適用場所）＜（適用時間）＜（プライオリティ）の順に決定するようにしてもよい。この優先順位にしたがって、図４に示されるデバイスデータベース２６ｂに記憶されたデバイスを全て装着している携帯端末装置１１について回線を接続する場合について説明すると、例えば、PM４時に車に乗車していて、着信を受けた時には、カーナビゲーションシステム１３が選択されて、カーナビゲーションシステム１３に着信音が鳴り、カーナビゲーションシステム１３のハンズフリーユニット４７を用いて通話が可能となる。
【００６８】
また、AM１０：００に屋外で着信を受けた時には、ハンドセット１２が選択され、ハンドセット１２で着信音が鳴り、ハンドセット１２により通話が可能となる。
【００６９】
さらに、PM６時に自宅内で着信を受けた場合には、照明付きハンドセットが選択され、着信音が鳴り、照明付ハンドセットで通話が可能となる。
【００７０】
PM４時に、スケジュールの通知アラームを携帯端末装置１１から受けると、ペン型ハンドセットが選択され、アラームがなる。
【００７１】
（付記１）  第１のネットワークとの無線通信を行なう第１の無線通信部と、第２のネットワークとの無線通信を行なう第２の無線通信部とを内蔵した携帯端末装置において、
前記第１の無線通信部に前記第１のネットワークから着信要求があった時に、前記第２の無線通信部との通信が確立された機器のうち、予め設定された優先順位に基づいて機器を選択する機器選択部と、
前記機器選択部で選択された機器と前記第１のネットワークとの通信を確立する通信制御部とを有することを特徴とする携帯端末装置。
【００７２】
（付記２）  前記機器選択部は、前記第２の無線通信部と通信可能な機器の優先度を予め記憶したデータベースを有し、
前記データベースの優先度に基づいて前記第２の無線通信部と通信が確立された機器のうち一の機器を選択する選択制御部を有することを特徴とする付記１記載の携帯端末装置。
【００７３】
（付記３）  前記データベースは、前記第２の無線通信部と通信可能な各機器の適用時間を予め記憶しており、
前記選択制御部は、前記適用時間に基づいて前記第２の無線通信部と通信が確立された機器のうち一の機器を選択することを特徴とする付記２記載の携帯端末装置。
【００７４】
（付記４）  前記データベースは、前記第２の無線通信部と通信可能な各機器の適用場所を予め記憶しており、
前記選択制御部は、前記適用場所に基づいて前記第２の無線通信部と通信が確立された機器のうち一の機器を選択することを特徴とする付記２又は３記載の携帯端末装置。
【００７５】
（付記５）  ネットワークとの無線通信を行なう無線通信部を内蔵した携帯端末装置において、
前記無線通信部に前記ネットワークから着信要求があった時に、着信要求先に基づいて確立すべき回線の種別を認識する回線種別認識部と、
前記回線種別認識部で認識された回線種別に基づいて回線を確立する通信制御部とを有することを特徴とする携帯端末装置。
【００７６】
（付記６）  前記回線種別認識部は、所定の回線種別の前記着信要求先を記憶したデータベースと、
前記着信時に前記着信先に基づいて前記データベースを参照し、前記データベースに前記着信先が存在すれば、前記所定の回線種別であると認識し、前記データベースに前記着信先が存在しなければ、他の回線種別であると認識する認識部とを有することを特徴とする付記５記載の携帯端末装置。
【００７７】
（付記７）  第１のネットワークとの無線通信を行なう第１の無線通信部と、第２のネットワークとの無線通信を行なう第２の無線通信部とを内蔵した携帯端末装置の通信制御方法において、
前記第１の無線通信部に前記第１のネットワークから着信要求があった時に、前記第２の無線通信部との通信が確立された機器のうち、予め設定された優先順位に基づいて機器を選択し、選択された機器と前記第１のネットワークと通信を確立することを特徴とする携帯端末装置の通信制御方法。
【００７８】
（付記８）  前記第２の無線通信部と通信可能な機器の優先度を予め記憶したデータベースを有し、
前記データベースの優先度に基づいて前記第２の無線通信部と通信が確立された機器のうち一の機器を選択することを特徴とする付記７記載の携帯端末装置の通信制御方法。
【００７９】
（付記９）  前記データベースは、前記第２の無線通信部と通信可能な各機器の適用時間を予め記憶しており、
前記適用時間に基づいて前記第２の無線通信部と通信が確立された機器のうち一の機器を選択することを特徴とする付記８記載の携帯端末装置の通信制御方法。
【００８０】
（付記１０）  前記データベースは、前記第２の無線通信部と通信可能な各機器の適用場所を予め記憶しており、
前記適用場所に基づいて前記第２の無線通信部と通信が確立された機器のうち一の機器を選択することを特徴とする付記８又は９記載の携帯端末装置の通信制御方法。
【００８１】
（付記１１）  ネットワークとの無線通信を行なう無線通信部を内蔵した携帯端末装置の通信制御方法において、
前記無線通信部に前記ネットワークから着信要求があった時に、着信要求先に基づいて確立すべき回線の種別を認識し、
認識された回線種別に基づいて回線を確立することを特徴とする携帯端末装置の通信制御方法。
【００８２】
（付記１２）  所定の回線種別の前記着信要求先を記憶したデータベースを有し、
前記着信時に前記着信先に基づいて前記データベースを参照し、前記データベースに前記着信先が存在すれば、前記所定の回線種別であると認識し、前記データベースに前記着信先が存在しなければ、他の回線種別であると認識し、回線を確立することを特徴とする付記１１記載の携帯端末装置の通信制御方法。
【００８３】
（付記１３）  コンピュータに、
第１の無線通信部に第１のネットワークから着信要求があった時に、該第１のネットワークとは異なる第２のネットワークとの通信を行なう第２の無線通信部との通信が確立された機器のうち、予め設定された優先順位に基づいて機器を選択させる手順と、
選択された機器と前記第１のネットワークと通信を確立させる手順とを実行させることを特徴とするプログラム。
【００８４】
（付記１４）  前記機器を選択する手順は、前記第２の無線通信部と通信可能な機器の優先度を予め記憶したデータベースの優先度に基づいて前記第２の無線通信部と通信が確立された機器のうち一の機器を選択する手順を有することを特徴とする付記１３記載のプログラム。
【００８５】
（付記１５）  前記データベースは、前記第２の無線通信部と通信可能な各機器の適用場所が予め記憶されており、
前記機器を選択する手順は、前記適用場所に基づいて前記第２の無線通信部と通信が確立された機器のうち一の機器を選択させることを特徴とする付記１４記載のプログラム。
【００８６】
（付記１６）  コンピュータに、
ネットワークとの無線通信を行なう無線通信部に該ネットワークから着信要求があった時に、着信要求先に基づいて確立すべき回線の種別を認識させる手順と、
認識された回線種別に基づいた回線を確立させる手順とを実行させることを特徴とするプログラム。
【００８７】
【発明の効果】
上述の如く、本発明によれば、データベースに予め設定された優先順位に基づいて通信を確立すべき機器を選択することにより、必要な時間、場所で必要な機器を着信先として自動的に選択して使用でき、同一機能を有する機器群、時間、場所、使用状況に応じて最適な機器と通信を確立できる等の特長を有する。
【図面の簡単な説明】
【図１】本発明の一実施例のシステム構成図である。
【図２】本発明の一実施例の携帯端末装置のブロック構成図である。
【図３】本発明の一実施例の着信サーバ発ＩＤデータベースのデータ構成図である。
【図４】本発明の一実施例のデバイスデータベースのデータ構成図である。
【図５】本発明の一実施例のハンドセットのブロック構成図である。
【図６】本発明の一実施例のカーナビゲーションシステムのブロック構成図である。
【図７】本発明の一実施例の動作説明図である。
【図８】本発明の一実施例の動作説明図である。
【図９】本発明の一実施例の動作説明図である。
【符号の説明】
１  システム
１１  携帯端末装置
１２  ハンドセット
１３  カーナビゲーションシステム
２１、２２、３１、４１、４２  アンテナ
２３  ＲＦユニット
２４  データアダプタ
２５  ＰＤＡ制御部
２６  データベース
２６ａ  着信サーバ発ＩＤデータベース
２６ｂ  デバイスサーバ
２７、３２、４６  ＳＳ無線部
３３、４７ａ  スピーカ
３４、４７ｂ  マイクロフォン
４３  ＧＰＳユニット
４４  制御部
４５  モニタ
４７  ハンズフリーユニット
４７ｃ  ハンズフリー制御部
【図１】
0003805990.tif 000002
【図２】
0003805990.tif 000003
【図３】
0003805990.tif 000004
【図４】
0003805990.tif 000005
【図５】
0003805990.tif 000006
【図６】
0003805990.tif 000007
【図７】
0003805990.tif 000008
【図８】
0003805990.tif 000009
【図９】
0003805990.tif 000010